(57)【特許請求の範囲】
【請求項１】
無線接続システムにおいてＭＯ−ＳＭＳ（Ｍｏｂｉｌｅ  Ｏｒｉｇｉｎａｔｉｎｇ  Ｓｈｏｒｔ  Ｍｅｓｓａｇｅ  Ｓｅｒｖｉｃｅ）のための適応的接続クラス遮断（ＡＣＢ）を制御する方法であって、前記方法は、ＵＥ（Ｕｓｅｒ  Ｅｑｕｉｐｍｅｎｔ）によって実行され、前記方法は、
３つのＲＡＣＨ（ｒａｎｄｏｍ  ａｃｃｅｓｓ  ｃｈａｎｎｅｌ）混雑レベルのうちの１つのＲＡＣＨ混雑レベルを指示する指示ビットを含むシステム情報ブロック（ＳＩＢ）メッセージを受信することと、
前記指示ビットを確認することと、
０と１との間で一様乱数を導出することと、
前記一様乱数と前記３つのＲＡＣＨ混雑レベルのうちの前記１つのＲＡＣＨ混雑レベルを比較することであって、前記３つのＲＡＣＨ混雑レベルは、遮断開放、ＬｅｓｓＣｏｎｇｅｓｔｅｄレベルおよびＭｏｒｅＣｏｎｇｅｓｔｅｄレベルである、ことと、
前記指示ビットが前記遮断開放を指示する場合、または、前記ＬｅｓｓＣｏｎｇｅｓｔｅｄレベルまたは前記ＭｏｒｅＣｏｎｇｅｓｔｅｄレベルにより示される特定値よりも前記導出された一様乱数が小さい場合に、前記ＲＡＣＨ混雑レベルに従って定義される遮断因子に基づいてｅＮＢ（ｅｖｏｌｖｅｄ  Ｎｏｄｅ−Ｂ）への接続試みを実行することと
を含み、
前記３つのＲＡＣＨ混雑レベルは、ＭＭＴＥＬ（Ｍｕｌｔｉｍｅｄｉａ  Ｔｅｌｅｐｈｏｎｙ  ｓｅｒｖｉｃｅ）音声負荷およびＭＭＴＥＬビデオ負荷に基づいて生成され、
前記ＭｏｒｅＣｏｎｇｅｓｔｅｄレベルは、前記ＬｅｓｓＣｏｎｇｅｓｔｅｄレベルにより示される特定値よりも高い前記遮断因子の特定値を示す、方法。
【請求項２】
前記指示ビットが前記遮断開放を指示するときに、前記ＳＩＢメッセージは、遮断構成を含まない、請求項１に記載の方法。
【請求項３】
前記適応的ＡＣＢが開放されるか、または、前記ＵＥの接続試みが前記ＬｅｓｓＣｏｎｇｅｓｔｅｄレベルまたは前記ＭｏｒｅＣｏｎｇｅｓｔｅｄレベルに基づいて成功するときに、ショートメッセージサービス（ＳＭＳ）を前記ｅＮＢに送信することをさらに含む、請求項１に記載の方法。
【請求項４】
無線接続システムにおいてＭＯ−ＳＭＳ（Ｍｏｂｉｌｅ  Ｏｒｉｇｉｎａｔｉｎｇ  Ｓｈｏｒｔ  Ｍｅｓｓａｇｅ  Ｓｅｒｖｉｃｅ）のための適応的接続クラス遮断（ＡＣＢ）を制御する方法であって、前記方法は、ｅＮＢ（ｅｖｏｌｖｅｄ  Ｎｏｄｅ−Ｂ）によって実行され、前記方法は、
ショートメッセージサービス（ＳＭＳ）に対するＡＣＢを修正するかどうかを決定することと、
分当たりの開始セッションのためのＵＥ（Ｕｓｅｒ  Ｅｑｕｉｐｍｅｎｔ）の試み回数を考慮して、前記無線接続システム上でのＳＭＳ負荷、ＭＭＴＥＬ（Ｍｕｌｔｉｍｅｄｉａ  Ｔｅｌｅｐｈｏｎｙ  ｓｅｒｖｉｃｅ）音声負荷およびＭＭＴＥＬビデオ負荷を推定することと、
前記ＭＭＴＥＬ音声負荷および前記ＭＭＴＥＬビデオ負荷に基づいて３つのＲＡＣＨ（Ｒａｎｄｏｍ  Ａｃｃｅｓｓ  Ｃｈａｎｎｅｌ）混雑レベルを生成することと、
前記ＳＭＳ負荷と前記３つのＲＡＣＨ混雑レベルを比較することによって、前記適応的ＡＣＢに対して使用される指示ビットを決定することと、
前記３つのＲＡＣＨ混雑レベルのうちの１つのＲＡＣＨ混雑レベルを指示する指示ビットを含むシステム情報ブロック（ＳＩＢ）メッセージを送信することと
を含み、
前記３つのＲＡＣＨ混雑レベルは、遮断開放、ＬｅｓｓＣｏｎｇｅｓｔｅｄレベルおよびＭｏｒｅＣｏｎｇｅｓｔｅｄレベルであり、
前記適応的ＡＣＢが、前記指示ビットが前記遮断開放を指示するときに開放されるか、または、前記適応的ＡＣＢが、前記ＬｅｓｓＣｏｎｇｅｓｔｅｄレベルまたは前記ＭｏｒｅＣｏｎｇｅｓｔｅｄレベルにより示される特定値に基づいて実行され、
前記ＭｏｒｅＣｏｎｇｅｓｔｅｄレベルは、前記ＬｅｓｓＣｏｎｇｅｓｔｅｄレベルにより示される特定値よりも高い遮断因子の特定値を示す、方法。
【請求項５】
前記ＳＭＳが開放されていることを前記指示ビットが指示するときに、前記ＳＩＢメッセージは、遮断構成を含まない、請求項４に記載の方法。
【請求項６】
前記適応的ＡＣＢが開放されるか、または、ＵＥ（ｕｓｅｒ  ｅｑｕｉｐｍｅｎｔ）の接続試みが前記ＬｅｓｓＣｏｎｇｅｓｔｅｄレベルまたは前記ＭｏｒｅＣｏｎｇｅｓｔｅｄレベルに基づいて成功するときに、前記ＳＭＳを前記ＵＥから受信することをさらに含む、請求項４に記載の方法。
【請求項７】
無線接続システムにおいてＭＯ−ＳＭＳ（Ｍｏｂｉｌｅ  Ｏｒｉｇｉｎａｔｉｎｇ  Ｓｈｏｒｔ  Ｍｅｓｓａｇｅ  Ｓｅｒｖｉｃｅ）のための適応的接続クラス遮断（ＡＣＢ）を制御するためのＵＥ（Ｕｓｅｒ  Ｅｑｕｉｐｍｅｎｔ）であって、前記ＵＥは、
受信器と、
送信器と、
前記適応的ＡＣＢを制御するためのプロセッサと
を備えており、
前記プロセッサは、
前記受信器を使用することによって、３つのＲＡＣＨ（ｒａｎｄｏｍ  ａｃｃｅｓｓ  ｃｈａｎｎｅｌ）混雑レベルのうちの１つのＲＡＣＨ混雑レベルを指示する指示ビットを含むシステム情報ブロック（ＳＩＢ）メッセージを受信することと、
前記指示ビットを確認することと、
０と１との間で一様乱数を導出することと、
前記一様乱数と前記３つのＲＡＣＨ混雑レベルのうちの前記１つのＲＡＣＨ混雑レベルを比較することであって、前記３つのＲＡＣＨ混雑レベルは、遮断開放、ＬｅｓｓＣｏｎｇｅｓｔｅｄレベルおよびＭｏｒｅＣｏｎｇｅｓｔｅｄレベルである、ことと、
前記受信器および前記送信器を使用することによって、前記指示ビットが前記遮断開放を指示する場合、または、前記ＬｅｓｓＣｏｎｇｅｓｔｅｄレベルまたは前記ＭｏｒｅＣｏｎｇｅｓｔｅｄレベルにより示される特定値よりも前記導出された一様乱数が小さい場合に、前記ＲＡＣＨ混雑レベルに従って定義される遮断因子に基づいてｅＮＢ（ｅｖｏｌｖｅｄ  Ｎｏｄｅ−Ｂ）への接続試みを実行することと
を行うように構成されており、
前記３つのＲＡＣＨ混雑レベルは、ＭＭＴＥＬ（Ｍｕｌｔｉｍｅｄｉａ  Ｔｅｌｅｐｈｏｎｙ  ｓｅｒｖｉｃｅ）音声負荷およびＭＭＴＥＬビデオ負荷に基づいて生成され、
前記ＭｏｒｅＣｏｎｇｅｓｔｅｄレベルは、前記ＬｅｓｓＣｏｎｇｅｓｔｅｄレベルにより示される特定値よりも高い前記遮断因子の特定値を示す、ＵＥ。
【請求項８】
前記指示ビットが前記遮断開放を指示するときに、前記ＳＩＢメッセージは、遮断構成を含まない、請求項７に記載のＵＥ。
【請求項９】
前記プロセッサは、さらに、
前記適応的ＡＣＢが開放されるか、または、前記ＵＥの接続試みが前記ＬｅｓｓＣｏｎｇｅｓｔｅｄレベルまたは前記ＭｏｒｅＣｏｎｇｅｓｔｅｄレベルに基づいて成功するときに、前記送信器を使用することによって、ショートメッセージサービス（ＳＭＳ）を前記ｅＮＢに送信するように構成されている、請求項７に記載のＵＥ。
【請求項１０】
無線接続システムにおいてＭＯ−ＳＭＳ（Ｍｏｂｉｌｅ  Ｏｒｉｇｉｎａｔｉｎｇ  Ｓｈｏｒｔ  Ｍｅｓｓａｇｅ  Ｓｅｒｖｉｃｅ）のための適応的接続クラス遮断（ＡＣＢ）を制御するためのｅＮＢ（ｅｖｏｌｖｅｄ  Ｎｏｄｅ−Ｂ）であって、前記ｅＮＢは、
受信器と、
送信器と、
前記適応的ＡＣＢを制御するためのプロセッサと
を備えており、
前記プロセッサは、
ショートメッセージサービス（ＳＭＳ）に対するＡＣＢを修正するかどうかを決定することと、
分当たりの開始セッションのためのＵＥ（Ｕｓｅｒ  Ｅｑｕｉｐｍｅｎｔ）の試み回数を考慮して、前記無線接続システム上でのＳＭＳ負荷、ＭＭＴＥＬ（Ｍｕｌｔｉｍｅｄｉａ  Ｔｅｌｅｐｈｏｎｙ  ｓｅｒｖｉｃｅ）音声負荷およびＭＭＴＥＬビデオ負荷を推定することと、
前記ＭＭＴＥＬ音声負荷および前記ＭＭＴＥＬビデオ負荷に基づいて３つのＲＡＣＨ（Ｒａｎｄｏｍ  Ａｃｃｅｓｓ  Ｃｈａｎｎｅｌ）混雑レベルを生成することと、
前記ＳＭＳ負荷と前記３つのＲＡＣＨ混雑レベルを比較することによって、前記適応的ＡＣＢに対して使用される指示ビットを決定することと、
前記送信器を使用することによって、前記３つのＲＡＣＨ混雑レベルのうちの１つのＲＡＣＨ混雑レベルを指示する指示ビットを含むシステム情報ブロック（ＳＩＢ）メッセージを送信することと
を行うように構成されており、
前記３つのＲＡＣＨ混雑レベルは、遮断開放、ＬｅｓｓＣｏｎｇｅｓｔｅｄレベルおよびＭｏｒｅＣｏｎｇｅｓｔｅｄレベルであり、
前記適応的ＡＣＢが、前記指示ビットが前記遮断開放を指示するときに開放されるか、または、前記適応的ＡＣＢが、前記ＬｅｓｓＣｏｎｇｅｓｔｅｄレベルまたは前記ＭｏｒｅＣｏｎｇｅｓｔｅｄレベルにより示される特定値に基づいて実行され、
前記ＭｏｒｅＣｏｎｇｅｓｔｅｄレベルは、前記ＬｅｓｓＣｏｎｇｅｓｔｅｄレベルにより示される特定値よりも高い遮断因子の特定値を示す、ｅＮＢ。
【発明の詳細な説明】
【技術分野】
【０００１】
本発明は無線接続システムに関するもので、より詳しくはＭｏｂｉｌｅ  Ｏｒｉｇｉｎａｔｉｎｇ  Ｓｈｏｒｔ  Ｍｅｓｓａｇｅ  Ｓｅｒｖｉｃｅ（ＭＯ−ＳＭＳ）に対する適応的遮断制御（ｂａｒｒｉｎｇ  ｃｏｎｔｒｏｌ）方法及び装置に関するものである。
【背景技術】
【０００２】
無線通信システムが音声やデータなどの種々の通信サービスを提供するために広範囲に展開されている。一般に、無線通信システムは可用システムリソース（帯域幅、伝送パワーなど）を共有して多数の使用者との通信を支援することができる多重接続（ｍｕｌｔｉｐｌｅ  ａｃｃｅｓｓ）システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
近年、Ｍｕｌｔｉｍｅｄｉａ  Ｔｅｌｅｐｈｏｎｙ  Ｓｅｒｖｉｃｅ（ＭＭＴＥＬ）音声及びビデオは一般的なトラフィックチャネルを用いることに決定された。しかし、一般のトラフィックチャネルは既存に提供されたサービスで既に混雑した状態である。したがって、接続クラス遮断（ＡＣＢ：Ａｃｃｅｓｓ  Ｃｌａｓｓ  Ｂａｒｒｉｎｇ）が活性状態であるとき、Ｅ−ＵＴＲＡＮでのＭＭＴＥＬ音声及びビデオの活用は混雑をもっと深化させるであろう。
【０００４】
混雑を減少させるとともに他の形態の人間対人間の通信を提供するため、混雑したセルで（ＮＡＳシグナリングを用いる）ＭＯ＋ＭＴ（Ｍｏｂｉｌｅ  Ｔｅｒｍｉｎａｔｉｎｇ）ＳＭＳを用いることも許されなければならない。理想的に、混雑が管理されているうちに人間対人間通信の一部手段を最も効果的に提供するため、運営者はそのような状況で設定によってＭＭＴＥＬ音声、ＭＯ＋ＭＴＳＭＳ又はこれらの全てを別に許すことができなければならない。
【発明の概要】
【発明が解決しようとする課題】
【０００５】
現在、ＭＯ−ＳＭＳにはＡＣＢが適用される。したがって、ＭＯ−ＳＭＳのためのアクセスクラス遮断制御のための過程に対する新たな定義が必要である。
【０００６】
したがって、本発明の目的は、従来技術の限界及び欠点による一つ以上の問題点を解決するために、ＭＯ−ＳＭＳのための適応的遮断制御のための方法及び装置を提供することである。
【０００７】
本発明の他の目的は、ＭＯ−ＳＭＳに対する接続クラス遮断制御のための新たな接続遮断因子及び遮断時間のようなパラメーターを定義することにある。
【０００８】
本発明のさらに他の目的は、ＭＯ−ＳＭＳ、ＭＭＴＥＬ音声及びＭＭＴＥＬビデオ負荷を考慮し、ＭＯ−ＳＭＳに対する接続遮断制御のためのシステム情報ブロックに含まれた指示ビットを決定する方法を提案することにある。
【０００９】
本発明のさらに他の目的は、前述した方法を支援する端末及び／又は基地局を提供することにある。
【００１０】
本発明が解決しようとする技術的問題点、及び以上で言及しなかった他の技術的問題点は以降の説明から当業者に明らかに理解可能である。
【課題を解決するための手段】
【００１１】
本発明は、Ｍｏｂｉｌｅ  Ｏｒｉｇｉｎａｔｉｎｇ  Ｓｈｏｒｔ  Ｍｅｓｓａｇｅ  Ｓｅｒｖｉｃｅ（ＭＯ−ＳＭＳ）に対する適応的接続クラス遮断制御方法及び装置に関するものである。
【００１２】
本発明の一態様において、無線通信システムにおいて基地局（ｅＮＢ：ｅｎｈａｎｃｅｄ  Ｎｏｄｅ−Ｂ）が適応的接続クラス遮断（ＡＣＢ：Ａｃｃｅｓｓ  Ｃｌａｓｓ  Ｂａｒｒｉｎｇ）を制御する方法は、前記基地局のセルでＳＭＳ（ｓｈｏｒｔ  ｍｅｓｓａｇｅ  ｓｅｒｖｉｃｅ）負荷、ＭＭＴＥＬ（ｍｕｌｔｉｍｅｄｉａ  ｔｅｌｅｐｈｏｎｙ  ｓｅｒｖｉｃｅ）ビデオ負荷、及びＭＭＴＥＬ音声負荷を推定する段階；前記ＭＭＴＥＬビデオ負荷及び前記ＭＭＴＥＬ音声負荷に基づいて混雑レベルを生成する段階；前記ＳＭＳ負荷と前記混雑レベルに対する閾値を比較して指示ビットを決定する段階；及び前記指示ビットを含むシステム情報ブロック（ＳＩＢ：ｓｙｓｔｅｍ  ｉｎｆｏｒｍａｔｉｏｎ  ｂｌｏｃｋ）をブロードキャストする段階を含む。この場合、前記指示ビットは、前記適応的ＡＣＢを支援するために、遮断開放（ｏｐｅｎ  ｂａｒｒｉｎｇ）、ＬｅｓｓＣｏｎｇｅｓｔｅｄ、又はＭｏｒｅＣｏｎｇｅｓｔｅｄを指示する。
【００１３】
前記ＬｅｓｓＣｏｎｇｅｓｔｅｄは、前記ＳＭＳ負荷が中間程度に高いことを指示することができる。
【００１４】
前記ＭｏｒｅＣｏｎｇｅｓｔｅｄは、前記ＳＭＳ負荷が過度に高いことを指示することができる。
【００１５】
前記遮断開放は、前記接続クラス遮断が開放されたことを指示することができる。
【００１６】
本発明の他の態様において、無線通信システムにおいて端末（ＵＥ：Ｕｓｅｒ  Ｅｑｕｉｐｍｅｎｔ）が適応的接続クラス遮断（ａｄａｐｔｉｖｅ  ａｃｃｅｓｓ  ｃｌａｓｓ  ｂａｒｒｉｎｇ）を制御する方法は、指示ビットを含むシステム情報ブロック（ＳＩＢ：ｓｙｓｔｅｍ  ｉｎｆｏｒｍａｔｉｏｎ  ｂｌｏｃｋ）を受信する段階；０と１との間で一様乱数（ｕｎｉｆｏｒｍ  ｒａｎｄｏｍ  ｎｕｍｂｅｒ）を導出する段階；前記導出された一様乱数と前記指示ビットが指示する混雑レベルを比較する段階；及び前記導出された一様乱数が前記混雑レベルより小さければ、基地局に対して接続試みを行う段階；又は前記導出された一様乱数が前記混雑レベル以上であれば、０と１との間で一様乱数を再導出する段階を含む。
【００１７】
前記指示ビットは、前記適応的制限制御を支援するために、遮断開放（ｏｐｅｎ  ｂａｒｒｉｎｇ）、ＬｅｓｓＣｏｎｇｅｓｔｅｄ、又はＭｏｒｅＣｏｎｇｅｓｔｅｄを指示することができる。
【００１８】
前記遮断開放は前記接続クラス遮断が開放されたことを指示することができ、前記ＬｅｓｓＣｏｎｇｅｓｔｅｄは前記ＳＭＳ負荷が中間程度に高いことを指示することができ、前記ＭｏｒｅＣｏｎｇｅｓｔｅｄは前記ＳＭＳ負荷が過度に高いことを指示することができる。
【００１９】
前記方法は、前記接続試みが成功した後、前記ＭＯ−ＳＭＳを前記基地局に送信する段階をさらに含むことができる。
【００２０】
前述した実施例は本発明の好適な実施例の一部である。もちろん、当業者であれば、本発明の技術的特徴を有する多様な実施例が後述するような本発明の詳細な説明によって具現可能であることが理解されなければならない。
本発明は、例えば、以下を提供する。
（項目１）
無線通信システムにおいて基地局（ｅＮＢ：ｅｎｈａｎｃｅｄ  Ｎｏｄｅ−Ｂ）が適応的接続クラス遮断（ＡＣＢ：Ａｃｃｅｓｓ  Ｃｌａｓｓ  Ｂａｒｒｉｎｇ）を制御する方法であって、
前記基地局のセルでＳＭＳ（ｓｈｏｒｔ  ｍｅｓｓａｇｅ  ｓｅｒｖｉｃｅ）負荷、ＭＭＴＥＬ（ｍｕｌｔｉｍｅｄｉａ  ｔｅｌｅｐｈｏｎｙ  ｓｅｒｖｉｃｅ）ビデオ負荷、及びＭＭＴＥＬ音声負荷を推定する段階；
前記ＭＭＴＥＬビデオ負荷及び前記ＭＭＴＥＬ音声負荷に基づいて混雑レベルを生成する段階；
前記ＳＭＳ負荷と前記混雑レベルに対する閾値を比較して指示ビットを決定する段階；及び
前記指示ビットを含むシステム情報ブロック（ＳＩＢ：ｓｙｓｔｅｍ  ｉｎｆｏｒｍａｔｉｏｎ  ｂｌｏｃｋ）をブロードキャストする段階を含み、
前記指示ビットは、前記適応的ＡＣＢを支援するために、遮断開放（ｏｐｅｎ  ｂａｒｒｉｎｇ）、ＬｅｓｓＣｏｎｇｅｓｔｅｄ、又はＭｏｒｅＣｏｎｇｅｓｔｅｄを指示する、適応的接続クラス遮断制御方法。
（項目２）
前記ＬｅｓｓＣｏｎｇｅｓｔｅｄは、前記ＳＭＳ負荷が中間程度に高いことを指示する、項目１に記載の適応的接続クラス遮断制御方法。
（項目３）
前記ＭｏｒｅＣｏｎｇｅｓｔｅｄは、前記ＳＭＳ負荷が過度に高いことを指示する、項目１に記載の適応的接続クラス遮断制御方法。
（項目４）
前記遮断開放は、前記接続クラス遮断が開放されたことを指示する、項目１に記載の適応的接続クラス遮断制御方法。
（項目５）
無線通信システムにおいて端末（ＵＥ：Ｕｓｅｒ  Ｅｑｕｉｐｍｅｎｔ）が適応的接続クラス遮断（ａｄａｐｔｉｖｅ  ａｃｃｅｓｓ  ｃｌａｓｓ  ｂａｒｒｉｎｇ）を制御する方法であって、
指示ビットを含むシステム情報ブロック（ＳＩＢ：ｓｙｓｔｅｍ  ｉｎｆｏｒｍａｔｉｏｎ  ｂｌｏｃｋ）を受信する段階；
０と１との間で一様乱数（ｕｎｉｆｏｒｍ  ｒａｎｄｏｍ  ｎｕｍｂｅｒ）を導出する段階；
前記導出された一様乱数と前記指示ビットが指示する混雑レベルを比較する段階；及び
前記導出された一様乱数が前記混雑レベルより小さければ、基地局に対して接続試みを行う段階；又は
前記導出された一様乱数が前記混雑レベル以上であれば、０と１との間で一様乱数を再導出する段階を含む、適応的接続クラス遮断制御方法。
（項目６）
前記指示ビットは、前記適応的制限制御を支援するために、遮断開放（ｏｐｅｎ  ｂａｒｒｉｎｇ）、ＬｅｓｓＣｏｎｇｅｓｔｅｄ、又はＭｏｒｅＣｏｎｇｅｓｔｅｄを指示する、項目５に記載の適応的接続クラス遮断制御方法。
（項目７）
前記遮断開放は前記接続クラス遮断が開放されたことを指示し、前記ＬｅｓｓＣｏｎｇｅｓｔｅｄは前記ＳＭＳ負荷が中間程度に高いことを指示し、前記ＭｏｒｅＣｏｎｇｅｓｔｅｄは前記ＳＭＳ負荷が過度に高いことを指示する、項目６に記載の適応的接続クラス遮断制御方法。
（項目８）
前記接続試みが成功した後、前記ＭＯ−ＳＭＳを前記基地局に送信する段階をさらに含む、項目６に記載の適応的接続クラス遮断制御方法。
【発明の効果】
【００２１】
本発明の実施例によれば、次のような利点を得ることができる。
【００２２】
まず、本発明はＭＯ−ＳＭＳを収容するための適応的でより細密な精度を提供することができる。
【００２３】
その外、このものはＭＭＴＥＬ音声及びＭＭＴＥＬビデオの混雑レベルが違うときに用いれば有用である。
【００２４】
その上、本出願の第２実施例は同様な方式でＡＣＢ、ＥＡＢ及びＣＳＦＢ−ＡＣ（Ｃｉｒｃｕｉｔ  Ｓｗｉｔｃｈ  Ｆａｌｌｂａｃｋ−Ａｃｃｅｓｓ  Ｃｏｎｔｒｏｌ）を再使用する他の方法にまで拡張できる。
【００２５】
本発明についての前述した一般的な説明と後述する詳細な説明は例示的で説明的なもので、請求範囲に記載の本発明の付加的な説明のためのものである。
【図面の簡単な説明】
【００２６】
本発明の更なる理解のために含まれ、本出願に組み込まれてその一部をなす添付図面は本発明の実施例を例示し、詳細な説明と一緒に本発明の原理を説明する機能をする。
【００２７】
【図１】Ｅ−ＵＭＴＳの網構造を概略的に例示する。
【００２８】
【図２】Ｅ−ＵＴＲＡＮの概略的な構造を例示する。
【００２９】
【図３】Ｅ−ＵＴＲＡＮと端末の間の無線インターフェースプロトコル（Ｒａｄｉｏ  Ｉｎｔｅｒｆａｃｅ  Ｐｒｏｔｏｃｏｌ）の構成を例示する。
【００３０】
【図４】ＭＯ−ＳＭＳに対する適応的遮断制御方法の一つを例示する。
【００３１】
【図５】ＭＯ−ＳＭＳに対する他の適応的遮断制御方法を例示する。
【００３２】
【図６】図５の基地局の観点でＭＯ−ＳＭＳに対する適応的遮断制御方法を要約したフローチャートである。
【００３３】
【図７】図１〜図６を基づいて説明した前記方法を具現するための装置を示す。
【発明を実施するための形態】
【００３４】
本発明の実施例はＭＯ−ＳＭＳに対する適応的遮断制御方法及び装置を提供する。
【００３５】
以下の実施例は本発明の構成要素及び特徴を所定形態に組み合わせたものである。それぞれの構成要素又は特徴は、他に言及がない限り、選択的なものとして見なすことができる。それぞれの構成要素又は特徴は他の構成要素又は特徴と結合されない形態に実施されることができる。また、一部の構成要素及び／又は特徴を結合して本発明の実施例を構成することも可能である。本発明の実施例で説明する動作の順序は変更されることができる。ある実施例の一部の構成や特徴は他の実施例に含まれることができ、あるいは他の実施例の対応する構成又は特徴に取り替えられることができる。
【００３６】
添付図面の説明において、本発明の要旨をあいまいにすることができる公知の手順又は段階などの詳細な説明は記述しない。その上、当業者が理解可能な手順又は段階も記述しない。
【００３７】
本発明の実施例においては、基地局と端末の間のデータ送信及び受信の関係を中心として説明する。ここで、基地局は端末と直接的に通信を行うネットワークの終端ノード（ｔｅｒｍｉｎａｌ  ｎｏｄｅ）を意味する。基地局によって遂行されるものとして説明される特定の動作は基地局の上位ノード（ｕｐｐｅｒ  ｎｏｄｅ）によって遂行されることができる。
【００３８】
すなわち、基地局を含む多数のネットワークノード（ｎｅｔｗｏｒｋ  ｎｏｄｅｓ）からなるネットワークにおいて端末との通信のために行われる多様な動作は基地局又は基地局以外のネットワークノードによって遂行されることができることは明らかである。「基地局（ＢＳ：Ｂａｓｅ  Ｓｔａｔｉｏｎ）」は固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（Ａｃｃｅｓｓ  Ｐｏｉｎｔ）などの用語に取り替えられることができる。
【００３９】
また、使用者器機（ＵＥ：Ｕｓｅｒ  Ｅｑｕｉｐｍｅｎｔ）は、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、発展した移動端末（ＡＭＳ：Ａｄｖａｎｃｅｄ  Ｍｏｂｉｌｅ  Ｓｔａｔｉｏｎ）、移動端末（ｍｏｂｉｌｅ  ｔｅｒｍｉｎａｌ）などの用語に取り替えられることができる。特に、本発明の実施例において、「ｅＮＢ」と「ｅＮｏｄｅ−Ｂ」の用語が混用され、「ＵＥ」と「端末」の用語が混用される。
【００４０】
また、送信端はデータサービス又は音声サービスを提供する固定及び／又は移動ノードであり、受信端はデータサービス又は音声サービスを受信する固定及び／又は移動ノードである。したがって、上りリンクでは移動局が送信端になり、基地局が受信端になることができる。同様に、下りリンクでは移動局が受信端になり、基地局が送信端になることができる。
【００４１】
本発明の実施例は、無線接続システムであるＩＥＥＥ  ８０２．ＸＸシステム、３ＧＰＰシステム、３ＧＰＰ  ＬＴＥシステム及び３ＧＰＰ２システムの少なくとも一つに開示された標準文書によって裏付けられる。特に、本発明の実施例は、３ＧＰＰ  ＴＳ  ２２．０１１、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１、及び３ＧＰＰ  ＴＳ  ３６．３３１文書によって裏付けられる。本発明の技術的思想を明確に現すために説明しない段階又は部分は前記文書によって裏付けられることができる。また、本発明の実施例に使われる全ての用語は前記標準文書によって説明されることができる。
【００４２】
以下、本発明の好適な実施形態を添付図面に基づいて詳細に説明する。添付図面に基づいて以下に開示する詳細な説明は本発明の例示的な実施形態を説明しようとするものであって、本発明によって具現可能な唯一の実施形態を示すものではない。また、本発明の実施例で使われる特定の用語は本発明の理解を助けるために提供されるものである。このような特定の用語は本発明の範囲及び精神内で他の用語に取り替えられることができる。
【００４３】
本発明の実施形態は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの多様な無線接続技術に使われることができる。
【００４４】
ＣＤＭＡはＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｒａｄｉｏ  ｔｅｃｈｎｏｌｏｇｙ）によって具現されることができる。ＴＤＭＡはＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭＥ  ｖｏｌｕｔｉｏｎ）のような無線技術によって具現されることができる。ＯＦＤＭＡはＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などの無線技術によって具現されることができる。
【００４５】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥはＥ−ＵＴＲＡを使うＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）は３ＧＰＰ  ＬＴＥの進化したバージョンである。以下のような本発明の実施例では、３ＧＰＰ  ＬＴＥ  ＬＴＥ−Ａシステムに適用される本発明の技術的特徴の例を主に説明する。
【００４６】
１．  ３ＧＰＰ  ＬＴＥ／ＬＴＥ−Ａシステム
【００４７】
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末の間で送受信する情報は一般のデータ情報及び多様な制御情報を含み、これらが送受信する情報の種類／用途によって多様な物理チャネルが存在する。
【００４８】
１．１  システム構造
【００４９】
図１はＥ−ＵＭＴＳのネットワーク構造を示す。Ｅ−ＵＭＴＳシステムはＷＣＤＭＡ（登録商標）  ＵＭＴＳシステムから進化したシステムであって、３ＧＰＰ（３ｒｄ  Ｇｅｎｅｒａｔｉｏｎ  Ｐａｒｔｎｅｒｓｈｉｐ  Ｐｒｏｊｅｃｔ）で基礎的な標準化作業を進めている。Ｅ−ＵＭＴＳはＬＴＥ（Ｌｏｎｇ  Ｔｅｒｍ  Ｅｖｏｌｕｔｉｏｎ）システムとも呼ばれる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ７及びＲｅｌｅａｓｅ８を参照することができる。
【００５０】
図１を参照すると、Ｅ−ＵＭＴＳは、主に端末（Ｕｓｅｒ  Ｅｑｕｉｐｍｅｎｔ；ＵＥ）、基地局、及びネットワーク（Ｅ−ＵＴＲＡＮ）の終端に位置し、外部ネットワークと連結される接続ゲートウェイ（Ａｃｃｅｓｓ  Ｇａｔｅｗａｙ；ＡＧ）からなる。一般に、基地局は、ブロードキャストサービス、マルチキャストサービス及び／又はユニキャストサービスのために多重データストリームを同時に送信することができる。
【００５１】
ＡＧは使用者トラフィック処理を担う部分と制御用トラフィックを処理する部分とに分けられることができる。この際、新たな使用者トラフィック処理のためのＡＧと制御用トラフィックを処理するＡＧとの間に新たなインターフェースを用いて互いに通信することができる。一つのｅＮＢには一つ以上のセル（ｃｅｌｌ）が存在する。ｅＮＢの間には使用者トラフィック又は制御トラフィック伝送のためのインターフェースが用いられることができる。
【００５２】
ＣＮ（Ｃｏｒｅ  Ｎｅｔｗｏｒｋ）はＡＧとＵＥの使用者登録などのためのネットワークノードなどからなることができる。Ｅ−ＵＴＲＡＮとＣＮを区分するためのインターフェースが用いられることができる。ＡＧはＴＡ（Ｔｒａｃｋｉｎｇ  Ａｒｅａ）単位で端末の移動性を管理する。ＴＡは複数のセルからなり、端末は、特定のＴＡから他のＴＡに移動する場合、ＡＧに自分が位置するＴＡが変更されたことを知らせる。
【００５３】
図２はＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のネットワーク構造を示す。Ｅ−ＵＴＲＡＮシステムは既存のＵＴＲＡＮシステムから進化したシステムである。Ｅ−ＵＴＲＡＮは「ｅＮｏｄｅ  Ｂｓ」又は「ｅＮＢｓ」と呼ばれることができる基地局（ｅＮＢ）からなる。
【００５４】
ｅＮＢはＸ２インターフェースを介して連結される。Ｘ２使用者平面インターフェース（Ｘ２−Ｕ）はｅＮＢの間に定義される。Ｘ２−Ｕインターフェースは使用者平面ＰＤＵの非保障伝達（ｎｏｎ  ｇｕａｒａｎｔｅｅｄ  ｄｅｌｉｖｅｒｙ）を提供する。Ｘ２制御平面インターフェース（Ｘ２−ＣＰ）は二つの隣接したｅＮＢの間に定義される。Ｘ２−ＣＰはｅＮＢの間のコンテキスト（ｃｏｎｔｅｘｔ）伝達、ソースｅＮＢとターゲットｅＮＢの間の使用者平面トンネルの制御、ハンドオーバー関連メッセージの伝達、上りリンク負荷管理などの機能を遂行する。
【００５５】
各ｅＮＢは無線インタペースを介して端末に連結され、Ｓ１インターフェースを介してＥＰＣ（Ｅｖｏｌｖｅｄ  Ｐａｃｋｅｔ  Ｃｏｒｅ）に連結される。Ｓ１使用者平面インターフェース（Ｓ１−Ｕ）はｅＮＢとＳ−ＧＷ（Ｓｅｒｖｉｎｇ  Ｇａｔｅｗａｙ）の間に定義される。Ｓ１制御平面インターフェース（Ｓ１−ＭＭＥ）はｅＮＢとＭＭＥ（Ｍｏｂｉｌｉｔｙ  Ｍａｎａｇｅｍｅｎｔ  Ｅｎｔｉｔｙ）の間に定義される。Ｓ１インターフェースはＥＰＳ（Ｅｖｏｌｖｅｄ  Ｐａｃｋｅｔ  Ｓｙｓｔｅｍ）ベアラーサービス管理機能、ＮＡＳ（Ｎｏｎ−Ａｃｃｅｓｓ  Ｓｔｒａｔｕｍ）シグナリングトランスポート機能、ネットワークシェアリング、ＭＭＥ負荷バランシング機能などを遂行する。
【００５６】
図３は３ＧＰＰ無線接続網規格を基盤にした端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及び使用者平面（Ｕ−Ｐｌａｎｅ、Ｕｓｅｒ−Ｐｌａｎｅ）の構造を示す。無線インターフェースプロトコルは水平的に物理階層（Ｐｈｙｓｉｃａｌ  Ｌａｙｅｒ）、データリンク階層（Ｄａｔａ  Ｌｉｎｋ  Ｌａｙｅｒ）及びネットワーク階層（Ｎｅｔｗｏｒｋ  Ｌａｙｅｒ）からなり、垂直的にはデータ情報伝送のための使用者平面（Ｕｓｅｒ  Ｐｌａｎｅ）と制御信号（Ｓｉｇｎａｌｉｎｇ）伝達のための制御平面（Ｃｏｎｔｒｏｌ  Ｐｌａｎｅ）に区分される。図２のプロトコル階層は通信システムで広く知られた開放型システム間の相互接続（ＯＳＩ：Ｏｐｅｎ  Ｓｙｓｔｅｍ  Ｉｎｔｅｒｃｏｎｎｅｃｔｉｏｎ）基準モデルの下位３個階層に基づいてＬ１（第１階層）、Ｌ２（第２階層）及びＬ３（第３階層）に区分されることができる。
【００５７】
制御平面は端末とネットワークが号を管理するために用いる制御メッセージが送信される通路を意味する。使用者平面はアプリケーション階層で生成されたデータ、例えば音声データ又はインターネットパケットデータなどが送信される通路を意味する。以下、無線プロトコルの制御平面と使用者平面の各階層を説明する。
【００５８】
第１階層である物理階層は物理チャネル（Ｐｈｙｓｉｃａｌ  Ｃｈａｎｎｅｌ）を用いて上位階層に情報伝送サービス（Ｉｎｆｏｒｍａｔｉｏｎ  Ｔｒａｎｓｆｅｒ  Ｓｅｒｖｉｃｅ）を提供する。物理階層は上位の媒体接続制御（Ｍｅｄｉｕｍ  Ａｃｃｅｓｓ  Ｃｏｎｔｒｏｌ）階層とは伝送チャネル（Ｔｒａｎｓｐｏｒｔ  Ｃｈａｎｎｅｌ）を介して連結されている。前記伝送チャネルを介して媒体接続制御階層と物理階層の間にデータが移動する。送信側と受信側の物理階層の間は物理チャネルを介してデータが移動する。前記物理チャネルはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調され、時間と周波数を無線リソースとして活用する。
【００５９】
第２階層の媒体接続制御（ＭＡＣ：Ｍｅｄｉｕｍ  Ａｃｃｅｓｓ  Ｃｏｎｔｒｏｌ）階層は論理チャネル（Ｌｏｇｉｃａｌ  Ｃｈａｎｎｅｌ）を介して上位階層である無線リンク制御（ＲＬＣ：Ｒａｄｉｏ  Ｌｉｎｋ  Ｃｏｎｔｒｏｌ）階層にサービスを提供する。第２階層のＲＬＣ階層は信頼性あるデータ伝送を支援する。ＲＬＣ階層の機能がＭＡＣ内部の機能ブロックによって具現されることもできる。このような場合、ＲＬＣ階層は存在しないこともできる。第２階層のＰＤＣＰ（Ｐａｃｋｅｔ  Ｄａｔａ  Ｃｏｎｖｅｒｇｅｎｃｅ  Ｐｒｏｔｏｃｏｌ）階層はＩＰｖ４又はＩＰｖ６のようなＩＰパケット伝送の際に帯域幅の狭い無線インターフェースで効率的に伝送するために不必要な制御情報を減らすヘッダー圧縮（Ｈｅａｄｅｒ  Ｃｏｍｐｒｅｓｓｉｏｎ）機能を遂行する。
【００６０】
第３階層の最下部に位置する無線リソース制御（ＲＲＣ：Ｒａｄｉｏ  Ｒｅｓｏｕｒｃｅ  Ｃｏｎｔｒｏｌ）階層は制御平面でのみ定義され、無線ベアラー（ＲＢ：Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して論理チャネル、伝送チャネル及び物理チャネルの制御を担う。ＲＢは端末とＥ−ＵＴＲＡＮの間のデータ伝達のために第２階層によって提供されるサービスを意味する。このために、ＲＲＣ階層は端末とネットワークの間にＲＲＣメッセージを互いに交換する。端末のＲＲＣ階層と無線ネットワークのＲＲＣ階層の間にＲＲＣ連結（ＲＲＣ  Ｃｏｎｎｅｃｔｅｄ）がある場合、端末はＲＲＣ連結状態（Ｃｏｎｎｅｃｔｅｄ  Ｍｏｄｅ）にあることになり、そうではない場合、ＲＲＣ休止状態（Ｉｄｌｅ  Ｍｏｄｅ）にあることになる。
【００６１】
ＲＲＣ階層の上位にあるＮＡＳ（Ｎｏｎ−Ａｃｃｅｓｓ  Ｓｔｒａｔｕｍ）階層はセッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００６２】
ｅＮＢを構成する一つのセルは１．２５、２．５、５、１０、２０Ｍｈｚなどの帯域幅の一つに設定され、多くの端末に下り又は上り伝送サービスを提供する。互いに異なるセルは互いに異なる帯域幅を提供するように設定できる。
【００６３】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、使用者トラフィック又は制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されることもでき、あるいは別個の下りＭＣＨ（Ｍｕｌｔｉｃａｓｔ  Ｃｈａｎｎｅｌ）を介して送信されることもできる。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、使用者トラフィック又は制御メッセージを送信する上りＳＣＨ（Ｓｈａｒｅｄ  Ｃｈａｎｎｅｌ）がある。
【００６４】
伝送チャネルの上位にあり、伝送チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００６５】
１．２  位置登録
【００６６】
ＰＬＭＮ（Ｐｕｂｌｉｃ  Ｌａｎｄ  Ｍｏｂｉｌｅ  Ｎｅｔｗｏｒｋ）は、一般人に地上移動通信サービスを提供する特定目的のために行政府又はＲＰＯＡによって構成されて運営されるネットワークである。ＰＬＭＮは移動する使用者に通信可能性を提供する。移動する使用者と固定された使用者の間の通信のために固定されたネットワークとの相互作用が必要である。したがって、ＰＬＭＮは全体システム領域にわたって端末にサービスの連続性を提供する主目的とともに位置登録機能を提供しなければならない。位置登録機能は次のようにすることができる。
【００６７】
−固定された加入者が端末呼出しの際に端末がシステム領域のどこに位置あるかに構わずに端末のディレクトリ番号のみを用いて端末を呼び出すことができるようにする。
【００６８】
−端末がその位置に構わずにシステムに接続することができるようにする。
【００６９】
−端末が自動位置アップデート過程を開始するために位置領域の変化がいつ起こるかを識別することができるようにする。
【００７０】
２．  接続制御
【００７１】
特定の環境では端末使用者が接続試み（非常呼出し試み含み）をするとかＰＬＭＮの指定領域でページ（例えば、コール）に応答することができないようにすることが好ましいであろう。そのような状況は非常状態又は二つ以上の共存するＰＬＭＮの一つが失敗した場合に発生することができる。
【００７２】
ブロードキャストされたメッセージはネットワーク接続が遮断された加入者のクラス又はカテゴリーを指示するセル別に利用可能ではなければならない。このような施設の利用は臨界条件の下でネットワーク運営者が接続チャネルの過負荷を予防することができるようにする。接続制御は一般的な作動条件の下で使うためのものではない。また、ＣＳ（Ｃｉｒｃｕｉｔ  Ｓｗｉｔｃｈｅｄ）領域とＰＳ（Ｐａｃｋｅｔ  Ｓｗｉｔｃｈｅｄ）領域の間で接続制御を区別することが可能でなければならない。
【００７３】
接続クラスに関連したセル接続制限（又は禁止）についての情報はシステム情報としてブロードキャスト方式で送信される。キャンプオン（ｃａｍｐ  ｏｎ）すべきセルを選択すれば、端末はセル接続制限に関連した接続クラスを無視する。すなわち、そのようなセルに対する接続は端末の何の接続クラスに対しても許されないので、端末はキャンプオンすべきセルを拒否することになる。指示された接続制限の変化は端末によるセル再選択を引き起こしてはいけない。
【００７４】
セル接続制限に関連した接続クラスは、端末がＵＴＲＡＮ遊休モードから接続モードに進入するとき、ＲＲＣ  ＣＯＮＮＥＣＴＩＯＮ  ＲＥＱＵＥＳＴメッセージを送信する前に確認されなければならない。
【００７５】
セル接続制限に関連した接続クラスは領域特定的接続制限パラメーターの一部として伝達される場合にもＩＮＩＴＩＡＬ  ＤＩＲＥＣＴ  ＴＲＡＮＳＦＥＲメッセージを送る前に端末によって確認される。
【００７６】
セル接続制限に関連した接続クラスは接続制御パラメーターを有するページング許可の一部として送信される場合、ページングメッセージに対する応答を送信する前あるいは位置／登録手順を開示する前に端末によって確認されなければならない。
【００７７】
セル接続制限に関連した接続クラスは拡張された接続遮断パラメーターの一部として送信される場合、上位階層によって指示される拡張された接続遮断に適用されるＲＲＣ  ＣＯＮＮＥＣＴＩＯＮ  ＲＥＱＵＥＳＴメッセージ又はＩＮＩＴＩＡＬ  ＤＩＲＥＣＴ  ＴＲＡＮＳＦＥＲメッセージを送信する前に端末によって確認されなければならない。
【００７８】
そうではなければ、接続クラスに関連したセル接続制限はもう接続モード状態の端末に対しては適用されない。
【００７９】
２．１  接続クラス割当て
【００８０】
全ての端末は接続クラス０〜接続クラス９に定義された任意に割り当てられた１０個の移動集団（ｐｏｐｕｌａｔｉｏｎ）の一メンバーになる。集団の番号はＳＩＭ／ＵＳＩＭに記憶される。また、端末は５個の特別なカテゴリー（接続クラス１１〜接続クラス１５）の一つ以上のメンバーであることができ、ＳＩＭ／ＵＳＩＭに維持される。これらは下記の表１の通りに優先順位の高い特定の使用者に割り当てられる（列挙順序は優先順位を意味しない）。
【００８１】
【表１】
0006473458.tif 000002
【００８２】
２．２  接続クラス遮断（ＡＣＢ）
【００８３】
端末は無線インターフェースを介してシグナリングされた許されたクラスに対応する少なくとも一つの接続クラスのメンバーであり、前記接続クラスがサービングネットワークで適用可能な場合、接続試みは許される。その上、接続ネットワークがＵＴＲＡＮである場合、サービングネットワークは端末の接続クラスが許されなくても端末がページングに応答して位置登録を行うのが許されることを指示することができる。そうではない場合、接続試みは許されない。また、サービングネットワークは、共通接続（ｃｏｍｍｏｎ  ａｃｃｅｓｓ）が許されても端末の位置登録の遂行が制限されることを指示することができる。端末がページングに応答する場合、定義された一般手順に従い、任意のネットワークコマンドに指定された通りに反応する。この場合、ネットワーク運営者は端末のネットワーク接続を許すとき、ネットワーク負荷を考慮することができる。
【００８４】
接続クラスは下の表２の通りに適用可能である。
【００８５】
【表２】
0006473458.tif 000003
【００８６】
多数のコアネットワークが同一接続ネットワークを共有する場合、接続ネットワークで互いに異なるコアネットワークのそれぞれに対して接続クラス遮断を適用することができる。
【００８７】
Ｅ−ＵＴＲＡＮ上での改善された接続制御のための要件は次の通りである。
【００８８】
−サービングネットワークは接続クラス０〜９に共通して適用される「接続制御の平均期間（ｍｅａｎ  ｄｕｒａｔｉｏｎ）」及び「遮断率（ｂａｒｒｉｎｇ  ｒａｔｅ）（例えば、パーセント値）」のパラメーターをブロードキャスト方式で送信することができる。
【００８９】
−Ｅ−ＵＴＲＡＮは端末の動作を案内するために端末に対する指示がブロードキャストされる接続試みの類型（つまり、ＭＯ（Ｍｏｂｉｌｅ  Ｏｒｉｇｉｎａｔｉｎｇ）データ又はＭＯシグナリング）に基づいて接続制御を支援しなければならない。Ｅ−ＵＴＲＡＮは接続試みの類型に基づく接続制御の組合せ、例えば（１）ＭＯ及びＭＴ（ｍｏｂｉｌｅ  ｔｅｒｍｉｎａｔｉｎｇ）、（２）ＭＯ、又は（３）位置登録を形成しなければならない。「接続制御の平均期間」及び「遮断率「パラメーターは接続試みの各類型（つまり、ＭＯデータ又はＭＯシグナリング）のためにブロードキャストされる。
【００９０】
−端末はサービングネットワークから提供される情報によって遮断状態（ｂａｒｒｉｎｇ  ｓｔａｔｕｓ）を決定し、それによって接続試みを遂行する。端末は、連結設定を開始するとき、０と１との間で一様乱数を導出し、現在の遮断率と比較して端末の遮断状態を決定する。一様乱数が現在の遮断程度より小さくて接続試みの類型が許容として指示される場合、接続試みが許される。そうではなければ、接続試みは許されない。接続試みが許されない場合、ネットワークから提供する「接続制御の平均期間」パラメーターと端末によって導出された一様乱数に基づいて計算された時間の間に同一類型の他の接続は制限される。
【００９１】
−サービングネットワークは端末がＳＧを介したＳＭＳ、ＩＭＳ（Ｉｎｔｅｒｎｅｔ  ｐｒｏｔｏｃｏｌ  Ｍｕｌｔｉｍｅｄｉａ  Ｓｕｂｓｙｓｔｅｍ）を介したＳＭＳ、及びＳ１０２を介したＳＭＳでのＳＭＳ接続試みに対して接続クラス遮断を適用すべきかを指示しなければならない。このような指示は接続クラス０〜９及び接続クラス１１〜１５に対して有効である。
【００９２】
−サービングネットワークは端末がＭＭＴＥＬ（Ｍｕｌｔｉｍｅｄｉａ  Ｔｅｌｅｐｈｏｎｙ  ｓｅｒｖｉｃｅ）音声接続試みに対して接続クラス遮断を適用すべきかを指示しなければならない。このような指示は接続クラス０〜９及び接続クラス１１〜１５に対して有効である。
【００９３】
−サービングネットワークは端末がＭＭＴＥＬビデオ接続試みに対して接続クラス遮断を適用すべきかを指示しなければならない。このような指示は接続クラス０〜９及び接続クラス１１〜１５に対して有効である。
【００９４】
２．３  サービス特定接続制御
【００９５】
Ｅ−ＵＴＲＡＮにおいては、遊休モード及び接続モードでの端末由来（ＭＯ）のセッション要求のための電話サービス（ＭＭＴＥＬ）に対して独立した接続制御を適用するために、次のようにＳＳＡＣ（Ｓｅｒｖｉｃｅｓ  Ｓｐｅｃｉｆｉｃ  Ａｃｃｅｓｓ  Ｃｏｎｔｒｏｌ）と呼ばれる性能を支援することができなければならない。
【００９６】
−サービングネットワークはＳＳＡＣが適用される端末が接続クラス遮断を適用しなければならないかを（２．２節で指摘したように）指示しなければならない。
【００９７】
−ＥＰＳ（Ｅｖｏｌｖｅｄ  Ｐａｃｋｅｔ  Ｓｙｓｔｅｍ）はＭＭＴＥＬ音声及びＭＭＴＥＬビデオのそれぞれに対してサービス確率因子及び接続制御平均期間を割り当てることができる次のような性能を提供することができる：
【００９８】
−接続クラス０〜９に対して共通して適用可能な遮断率（パーセント）割当て。
【００９９】
−１１〜１５範囲の各接続クラスに対して遮断状態（制限／非制限）フラグ割当て。
【０１００】
−接続クラス１０にはＳＳＡＣが適用されない。
【０１０１】
−ＳＳＡＣはＨＰＬＭＮに接続せずにＶＰＬＭＮによって運営者政策に基づいて提供されることができる。
【０１０２】
−ＳＳＡＣは大量の同時的なＭＯセッション要求によるサービス利用可能性の低下（つまり、無線リソース不足）を最小化し、非遮断サービスに対する無線接続リソースの利用可能性を極大化するためのメカニズムを提供しなければならない。
【０１０３】
−サービングネットワークは接続クラス０〜９に対する接続制御の平均期間、遮断率、１１〜１５範囲の接続クラスに対する遮断状態をブロードキャストすることができなければならない。
【０１０４】
端末はサービングネットワークから提供された情報によって遮断状態を決定し、それによって接続試みを遂行する。端末は連結樹立を開始するときに０と１との間で一様乱数を導出し、現在の遮断率と比較して遮断状態を決定する。一様乱数が現在の遮断率より小さくて接続試みの類型が許容として指示される場合、接続試みが許される。そうではない場合、接続試みは許されない。接続試みが許されない場合、ネットワークから提供する「接続制御の平均期間」パラメーターと端末によって導出された乱数に基づいて計算された時間の間に同一類型の他の接続は制限される。
【０１０５】
３．  ＭＯ−ＳＭＳに対する適応的遮断制御
【０１０６】
ＭＯ−ＳＭＳに対する接続クラス遮断（ＡＣＢ）を制御するため、ＡＣＢが適用されるとき、それぞれのＲＡＮノードはＳＭＳ関連接続がＡＣＢ制御を受けるかを指示することができる。ＲＡＮノードがＳＭＳ関連ＡＣＢの適用を受けないことを指示すれば、ＳＭＳ関連接続は開放（つまり、許容）される。
【０１０７】
しかし、混雑レベルが高いと思われる場合には、微細な制御単位（ｇｒａｎｕｌａｒｉｔｙ）を有することができる接続遮断の一部形態を用いる必要がある。例えば、ＡＣＢのように接続遮断の一部を用いることができる。
【０１０８】
３．１  ＭＯ−ＳＭＳに対する適応的遮断制御のための第１方法
【０１０９】
ＭＯ−ＳＭＳに対して適応的遮断制御を用いるためには、新たな遮断設定情報要素（ＩＥ：Ｉｎｆｏｒｍａｔｉｏｎ  Ｅｌｅｍｅｎｔ）を定義する必要がある。例えば、「ｓｍｓ−Ｂａｒｒｉｎｇｔｉｍｅ」及び「ｓｍｓ−Ｂａｒｒｉｎｇｆａｃｔｏｒ」のようなフィールドが新たに定義される。
【０１１０】
「ｓｍｓ−Ｂａｒｒｉｎｇｔｉｍｅ」はＭＯ−ＳＭＳに対する秒単位の新たな平均接続遮断時間値である。「ｓｍｓ−Ｂａｒｒｉｎｇｔｉｍｅ」はネットワーク接続が遮断された時間の長さを示す。この場合、「ｓｍｓ−Ｂａｒｒｉｎｇｔｉｍｅ」フィールドの値は１、２、４、８、１６、３２サブフレームに設定される。
【０１１１】
また、「ｓｍｓ−Ｂａｒｒｉｎｇｆａｃｔｏｒ」はネットワーク接続の接続成功可能性を示す。すなわち、端末が導出した乱数が「ｓｍｓ−Ｂａｒｒｉｎｇｆａｃｔｏｒ」によって指示された値より小さければ、接続が許される。そうではなければ、当該接続は制限される。この値は｛０、５、１０、…、９５％｝の範囲で解釈される。この場合、０％は全ての端末が制限されることを意味し、９５％は接続試みを行う大部分の端末が許されることができることを意味する。
【０１１２】
「ｓｍｓ−Ｂａｒｒｉｎｇｔｉｍｅ」と「ｓｍｓ−Ｂａｒｒｉｎｇｆａｃｔｏｒ」のフィールドはブロードキャストするシステム情報ブロック２（ＳＩＢ２）に含まれることができる。
【０１１３】
図４はＭＯ−ＳＭＳに対する適応的遮断制御方法の一つを例示する。
【０１１４】
図４を参照すると、基地局（ｅＮＢ）は基地局が管理するセル内の端末（ＵＥｓ）に対して接続クラス遮断を制御する準備を行う（Ｓ４０１）。
【０１１５】
基地局はＭＯ−ＳＭＳに対する接続クラス遮断を修正する必要があるかを判断する（Ｓ４０２）。
【０１１６】
ＭＯ−ＳＭＳに対する接続クラス遮断を修正する必要がある場合、基地局はネットワーク上でのＳＭＳ負荷を推定する（Ｓ４０３）。
【０１１７】
ＭＯ−ＳＭＳに対する接続クラス遮断を修正する必要がない場合、基地局は準備状態に戻る。
【０１１８】
基地局は推定されたＳＭＳ負荷に基づいて接続クラス遮断パラメーター（又はフィールド）を修正する。例えば、先に論議したように、基地局は「ｓｍｓ−ＢａｒｒｉｎｇＦａｃｔｏｒ」及び「ｓｍｓ−Ｂａｒｒｉｎｇｔｉｍｅ」のような新たに定義された接続遮断パラメーターを付け加えることによって以前の接続クラス遮断パラメーターを修正する（Ｓ４０４）。
【０１１９】
その後、基地局はＳＩＢ（ｓｙｓｔｅｍ  ｉｎｆｏｒｍａｔｉｏｎ  ｂｌｏｃｋ）メッセージ（例えば、ＳＩＢ２）を介して「ｓｍｓ−ＢａｒｒｉｎｇＦａｃｔｏｒ」及び「ｓｍｓ−Ｂａｒｒｉｎｇｔｉｍｅ」パラメーターを送信する（Ｓ４０５）。
【０１２０】
ＳＩＢメッセージはｅＮＢによって管理されるセルでブロードキャストされる。この場合、ＳＩＢは基地局のシステム情報を含むとともにセル領域内の全ての端末に伝送対象となるため、基地局に登録されていない端末もＳＩＢメッセージをデコードすることができる。したがって、ＳＩＢを使うことにより、基地局のセル内の端末は端末の接続が遮断されるかを確認することができる。
【０１２１】
端末はＳＩＢを介して受信されたＭＯ−ＳＭＳ接続遮断パラメーターの構成を確認して、ＭＯ−ＳＭＳが制御中であるかを確認する（Ｓ４０６）。
【０１２２】
その後、端末はＳＩＢによって遮断状態を決定する。例えば、端末は０と１との間で一様乱数を導出し（Ｓ４０７）、導出された乱数とｓｍｓ−Ｂａｒｒｉｎｇｆａｃｔｏｒを比較して端末の遮断状態を決定する（Ｓ４０８）。
【０１２３】
段階Ｓ４０８で、一様乱数がｓｍｓ−ＢａｒｒｉｎｇＦａｃｔｏｒ値より小さければ、接続試みは許される。したがって、端末はｅＮＢとランダムアクセス過程を遂行する。
【０１２４】
段階Ｓ４０８で、一様乱数がｓｍｓ−ＢａｒｒｉｎｇＦａｃｔｏｒ値以上であれば、接続試みは許されない。したがって、端末は段階Ｓ４０７に戻る。
【０１２５】
３．  ２ＭＯ−ＳＭＳに対する適応的遮断制御のための第２方法
【０１２６】
以前のＭＭＴＥＬ音声及びＭＭＴＥＬビデオサービスはＣＳ（ｃｉｒｃｕｉｔ  ｓｗｉｔｃｈｅｄ）ネットワークを介して提供される。しかし、この頃にはＰＳ（ｐａｃｋｅｔ  ｓｗｉｔｃｈｅｄ）ネットワークを介してＭＭＴＥＬ音声及びＭＭＴＥＬビデオサービスが提供される。このような状況下で、ＭＯ−ＳＭＳサービスもＰＳネットワークを介して提供される。したがって、ＭＯ−ＳＭＳに対するＡＣＢをより正確に制御するため、基地局はＭＯ−ＳＭＳに対する接続クラス遮断パラメーターを設定する時にもＭＭＴＥＬ音声及びＭＭＴＥＬビデオサービスの負荷を考慮することが好ましい。
【０１２７】
図５はＭＯ−ＳＭＳに対する適応的遮断制御の他の方法を例示する。
【０１２８】
図５を参照すると、基地局（ｅＮＢ）は基地局が管理するセル内の端末（ＵＥｓ）に対して接続クラス遮断を制御する準備をする（Ｓ５０１）。
【０１２９】
基地局はＭＯ−ＳＭＳに対する接続クラス遮断を修正する必要があるかを判断する（Ｓ５０２）。
【０１３０】
ＭＯ−ＳＭＳに対する接続遮断を修正する必要がない場合、基地局は準備状態に戻る。
【０１３１】
ＭＯ−ＳＭＳに対する接続クラス遮断を修正する必要がある場合、基地局はネットワーク上でのＳＭＳ負荷、ＭＭＴＥＬ音声及び／又はＭＭＴＥＬビデオ負荷を推定する（Ｓ５０３）。
【０１３２】
Ｓ５０３段階で、基地局は分（ｍｉｎｕｔｅ）当たりセッション開始のための試み回数を考慮して、ＳＭＳ、ＭＭＴＥＬ音声及び／又はＭＭＴＥＬビデオの負荷を推定することができる。例えば、遊休モードから正常モードへの端末の試み回数が負荷の推定に用いられることができる。
【０１３３】
基地局はＭＭＴＥＬ音声負荷及びＭＭＴＥＬビデオ負荷を用いてＲＡＣＨ混雑レベルを生成する。この場合、基地局は３個の閾値（例えば、ｔｈｒｅｓｈｏｌｄ＿１、ｔｈｒｅｓｈｏｌｄ＿２、及びｔｈｒｅｓｈｏｌｄ＿３）を有し、ＲＡＣＨ混雑レベルは閾値に基づいて「ＬｅｓｓＣｏｎｇｅｓｔｅｄ」及び「ＭｏｒｅＣｏｎｇｅｓｔｅｄ」に定義されることができる。「ＬｅｓｓＣｏｎｇｅｓｔｅｄ」の混雑レベルは下記の式１によって計算されることができ、「ｍｏｒｅＣｏｎｇｅｓｔｅｄ」は下記の数学式２によって計算されることができる（Ｓ５０４）。
【０１３４】
【数１】
0006473458.tif 000004
「ＬｅｓｓＣｏｎｇｅｓｔｅｄ」＝ａｒｇｍｉｎ｛ＭＭＴＥＬ  ｖｏｉｃｅ  ｌｏａｄ、  ＭＭＴＥＬ  ｖｉｄｅｏ  ｌｏａｄ｝
【０１３５】
【数２】
0006473458.tif 000005
「ｍｏｒｅＣｏｎｇｅｓｔｅｄ」＝ａｒｇｍａｘ｛ＭＭＴＥＬ  ｖｏｉｃｅ  ｌｏａｄ、  ＭＭＴＥＬ  ｖｉｄｅｏ  ｌｏａｄ｝
【０１３６】
式１で、関数「ａｒｇｍｉｎ」は最小のアーギュメント（ａｒｇｕｍｅｎｔ）、つまり与えられた関数が最小値を達成する与えられたアーギュメントポイントの集合を示す。式２で、関数「ａｒｇｍａｘ」は最大のアーギュメント、つまり与えられた関数が最大値を達成する与えられたアーギュメントポイントの集合を示す。
【０１３７】
また、図５を参照すると、基地局は、ＭＯ−ＳＭＳに対する適応的遮断制御に用いる指示ビットを決定するために、三つの閾値（例えば、ｔｈｒｅｓｈｏｌｄ＿１、ｔｈｒｅｓｈｏｌｄ＿２、及びｔｈｒｅｓｈｏｌｄ＿３）を有する。したがって、基地局はＭＯ−ＳＭＳ負荷と最小の混雑状態を示すｔｈｒｅｓｈｏｌｄ＿１を比較する（Ｓ５０５）。
【０１３８】
段階Ｓ５０５で、ＳＭＳ負荷がｔｈｒｅｓｈｏｌｄ＿１以下であれば、基地局は、ＭＯ−ＳＭＳに対する接続クラス遮断の開放（つまり、接続許容）を指示するために、遮断構成がないＳＩＢメッセージ（例えば、ＳＩＢ２）を送信する。すなわち、ＳＭＳ負荷がｅＮＢに許容可能な程度に高いと予想されれば、基地局はＭＯ−ＳＭＳ禁止の開放を示す指示ビットをＳＩＢメッセージに含ませて送信する（Ｓ５０５ａ）。
【０１３９】
ＳＭＳ負荷が中間程度であると予想される場合、基地局は「ＬｅｓｓＣｏｎｇｅｓｔｅｄ」レベルを指示するように指示ビットを設定し、ＳＩＢメッセージ（つまり、ＳＩＢ２）を介して前記指示ビットを送信する。すなわち、ＳＭＳ負荷がｔｈｒｅｓｈｏｌｄ＿１以上でありながらｔｈｒｅｓｈｏｌｄ＿２より低い場合、基地局は指示ビットをＳＩＢメッセージに含ませて送信する（Ｓ５０６、Ｓ５０６ａ）。
【０１４０】
ＳＭＳ負荷が過度に高いと予想されれば、基地局は、指示ビットを「ＭｏｒｅＣｏｎｇｅｓｔｅｄ」レベルを指示するように設定し、ＳＩＢメッセージ（つまり、ＳＩＢ２）を介して前記指示ビットを送信する。すなわち、ＳＭＳ負荷がｔｈｒｅｓｈｏｌｄ＿２以上でありながらｔｈｒｅｓｈｏｌｄ＿３より低い場合、基地局は指示ビットをＳＩＢメッセージに含ませて送信する（Ｓ５０７、Ｓ５０７ａ）。
【０１４１】
ＳＩＢメッセージは基地局によって管理されるセルでブロードキャストされる。この場合、ＳＩＢは全てのセル領域にブロードキャストされるとともに基地局のシステム情報を含むため、基地局に登録されていない端末もＳＩＢメッセージをデコードすることができる。したがって、ＳＩＢを用いることにより、基地局のセル内の端末は端末の接続が制限されるかを確認することができる。
【０１４２】
ＵＥはＳＩＢ内の「指示ビット」を確認する。指示ビットがＭＯ−ＳＭＳが制御状態であるかを知るのに有効であれば、ＵＥはＳＩＢによって制限状態を決定する。例えば、端末は０と１との間で一様乱数を導出し（Ｓ５０８、Ｓ５０９）、導出された一様乱数と指示ビットで指示された混雑レベルを比較して、端末が遮断されるかを決定する（Ｓ５１０）。
【０１４３】
混雑レベルは、適応的遮断制御を支援するために、「ｏｐｅｎ  ｂａｒｒｉｎｇ」、「ＬｅｓｓＣｏｎｇｅｓｔｅｄ」又は「ＭｏｒｅＣｏｎｇｅｓｔｅｄ」として設定されることができる。この場合、混雑レベルは三つのレベルを示すための特定値として設定されることができる。他の接近観点で、混雑レベルは先に図４で説明したように新たに定義されたｓｍｓ−ｂａｒｒｉｎｇｆａｃｔｏｒの形態に設定されることができる。この場合、ｓｍｓ−ｂａｒｒｉｎｇｆａｃｔｏｒは三つのカテゴリーに分類されることができる。その一つが混雑レベルを指示するために伝送されることができる。
【０１４４】
段階Ｓ５１０で、一様乱数がＳＩＢによって指示された混雑レベルより小さければ、接続試みは許される。したがって、ＵＥはｅＮＢとランダムアクセス過程を遂行する（Ｓ５１１）。
【０１４５】
段階Ｓ５１０で、一様乱数がＳＩＢによって指示された混雑レベル以上であれば、接続試みは許されない。したがって、端末は段階Ｓ５０９に戻る。段階Ｓ５０９は条件が満たされる度に遂行できる。すなわち、ランダム接続試みでの一回の成功が次のランダム接続試みでも成り立てば、ＵＥは次の試みでもこれを遂行する。
【０１４６】
したがって、ＳＩＢ内の指示ビットがＭＭＴＥＬ音声及びＭＭＴＥＬビデオの負荷を考慮して設定されるので、接続遮断制御がＭＯ−ＳＭＳにもっと効果的に適用されることができる。
【０１４７】
段階Ｓ５０５ａ、Ｓ５０６ａ、及びＳ５０７ａについて、ＳＩＢメッセージは段階Ｓ５０５〜段階Ｓ５０７を介した決定過程によってただ一つのみが送信される。すなわち、段階Ｓ５０７ａのＳＩＢメッセージはＳ５０５、Ｓ５０６及びＳ５０７の条件が全て満たされるときに送信されることができる。
【０１４８】
図６は図５の基地局の観点でＭＯ−ＳＭＳに対する適応的遮断制御方法を要約したフローチャートである。
【０１４９】
図６を参照すると、基地局は、ＳＭＳ負荷、ＭＭＴＥＬ音声及び／又はＭＭＴＥＬビデオ負荷を推定する（Ｓ６１０）。
【０１５０】
基地局はＭＭＴＥＬ音声及び／又はＭＭＴＥＬビデオ負荷を用いてＲＡＣＨ混雑レベルを生成する（Ｓ６２０）。
【０１５１】
その後、基地局はＳＭＳ負荷とＲＡＣＨ混雑レベルを比較して指示ビットを決定することができる（Ｓ６３０）。
【０１５２】
最後に、基地局はＳＩＢｘメッセージを介して指示ビットをブロードキャストすることができる。
【０１５３】
４．  前述した方法を具現するための装置
【０１５４】
図７は図１〜図６を参照して説明した前記方法を具現するための装置を示す。
【０１５５】
端末は、上りリンクでは送信端として機能し、下りリンクでは受信端として機能することができる。基地局は、上りリンクでは受信端として機能し、下りリンクでは送信端として機能することができる。
【０１５６】
端末と基地局は、信号、データ及び／又はメッセージの送受信を制御するための送信モジュール（Ｔｘモジュール）７４０及び７５０と受信モジュール（Ｒｘモジュール）７６０及び７７０、及び信号、データ及び／又はメッセージをそれぞれ送受信するためのアンテナ７００及び７１０を含むことができる。
【０１５７】
また、端末と基地局のそれぞれは、前述した本発明の実施例を具現するためのプロセッサ７２０及び７３０、及び前記プロセスの処理手順を一時的に又は連続的に記憶するメモリ７７０及び７９０を含むことができる。
【０１５８】
本発明の実施例は、前述した端末と基地局の構成要素及び機能を用いて遂行されることができる。図７に示した装置は、図１及び図２で説明した個体の一つであり得る。好ましくは、前記プロセッサ７２０及び７３０は、図２、図３及び図４に示した構成要素を含む。
【０１５９】
端末のプロセッサ７２０は、基地局によってブロードキャストされたＳＩＢメッセージを受信することができる。特に、ＬＴＥ−Ａ端末は新たに定義されたｓｍｓ−ｂａｒｒｉｎｇパラメーター又はＳＩＢに含まれた指示ビットを確認して、ＭＯ−ＳＭＳが制御状態であるかを確認することができる。また、プロセッサ７２０は、０と１との間で一様乱数を導出し、これをｓｍｓ−ｂａｒｒｉｎｇｆａｃｔｏｒ又は指示ビットと比較して、端末の接続クラスが制限されるかを決定することができる。
【０１６０】
また、基地局のプロセッサ７３０は、推定されたＭＯ−ＳＭＳ、ＭＭＴＥＬ音声及び／又はＭＭＴＥＬビデオの負荷に基づいて、新たに定義されたｓｍｓ−ｂａｒｒｉｎｇパラメーター又は指示ビットを含むＳＩＢメッセージを構成することができる。また、基地局のプロセッサ７３０は、指示ビットを決定するために、「ｌｅｓｓｃｏｎｇｅｓｔｅｄ」及び「ｍｏｒｅｃｏｎｇｅｓｔｅｄ」のようなＲＡＣＨ混雑レベルを生成する。
【０１６１】
端末と基地局に含まれた送信モジュール７４０及び７５０と受信モジュール７６０及び７７０は、パケット変調及び復調機能、高速パケットチャネルコーディング機能、ＯＦＤＭＡパケットスケジューリング機能、ＴＤＤパケットスケジューリング機能及び／又はチャネル多重化機能を有することができる。また、端末と基地局は低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに含むことができる。
【０１６２】
本発明の実施例において、携帯情報端末（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（登録商標）（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブック型ＰＣ、スマート（Ｓｍａｒｔ）フォン又はマルチモードマルチバンド（ＭＭ−ＭＢ：Ｍｕｌｔｉ  Ｍｏｄｅ−Ｍｕｌｔｉ  Ｂａｎｄ）端末機などが用いられることができる。
【０１６３】
ここで、スマートフォンとは移動通信端末と携帯情報端末の利点を全て有するもので、移動通信端末に、携帯情報端末の機能である日程管理、ファックス送受信及びインターネット接続などのデータ通信機能を統合した端末機を意味することができる。また、マルチモードマルチバンド端末機とは、マルチモデムチップを内蔵して、携帯インターネットシステム及び他の移動通信システム（例えば、ＣＤＭＡ２０００システム、ＷＣＤＭＡ（登録商標）システムなど）のいずれでも作動することができる端末機を言う。
【０１６４】
本発明の実施例は多様な手段によって、例えばハードウェア、ファームウエア（ｆｉｒｍｗａｒｅ）、ソフトウェア又はそれらの組合せなどによって具現されることができる。
【０１６５】
ハードウェアによる具現の場合、本発明の実施例は一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどによって具現されることができる。
【０１６６】
ファームウエアやソフトウェアによる具現の場合、本発明の実施例による方法は以上で説明した機能又は動作を行うモジュール、手順又は関数などの形態に具現されることができる。例えば、ソフトウェアコードはメモリユニットに記憶され、プロセッサによって駆動されることができる。前記メモリユニットは前記プロセッサの内部又は外部に位置することができ、既に知られた多様な手段によって前記プロセッサとデータを取り交わすことができる。
【０１６７】
当業者であれば、本発明は本発明の精神及び範囲内で多様な修正及び変更が可能であることが明らかであろう。したがって、本発明の範囲は、添付の請求範囲及びその等価の範囲内に属する修正及び変形を包括するものである。
【０１６８】
本発明の実施例は多様な無線接続システムに適用されることができる。多様な無線接続システムの一例として、３ＧＰＰ、３ＧＰＰ２及び／又はＩＥＥＥ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は前記無線接続システムだけではなく、前記多様な無線接続システムを応用した技術分野に適用されることができる。
【図１】
0006473458.tif 000006
【図２】
0006473458.tif 000007
【図３】
0006473458.tif 000008
【図４】
0006473458.tif 000009
【図５】
0006473458.tif 000010
【図６】
0006473458.tif 000011
【図７】
0006473458.tif 000012